(57)【特許請求の範囲】
【請求項１】
保護カバーにて保護された回路基板と、遊技盤を流下する遊技球が入賞する入賞口と、前記入賞口に入賞した遊技球を遊技盤裏面へ排出する排出経路とを複数箇所に有するとともに各排出経路に対応するように前記回路基板とは別の電子機器が複数個、設けられた遊技用部材を具備した遊技機において、
前記保護カバーと前記回路基板との間に間隙を設けるとともに、該保護カバーの所定位置であって前記各排出経路に対応する位置に前記間隙に連通して保護カバー外から前記間隙に配線を通す挿通部を前記各排出経路分、形成し、各挿通部の配設位置に対する前記排出経路の逆側の位置に前記間隙に連通して前記間隙から配線を引き出す開口部を形成し、
前記保護カバーには、前記開口部から最も離れた前記挿通部に通した配線を前記開口部に向かって案内する案内部材が、当該配線と当該挿通部に対応する排出経路以外の排出経路との間に位置するように設けられ、
前記各排出経路をその下流側端部が前記回路基板から突出する経路長で形成し、
前記別の電子機器のそれぞれに接続された配線を、当該別の電子機器が設けられた排出経路に対応する位置の前記挿通部から前記間隙に通すとともに、当該別の電子機器が設けられた排出経路において前記開口部の配設位置に対して逆側の当該排出経路の外面に沿わせて前記開口部から保護カバー外へ引き出し、前記開口部から最も離れた前記挿通部に通した配線に関しては対応する排出経路の外面に沿わせてさらに前記案内部材に沿って前記開口部から保護カバー外へ引き出したことを特徴とする遊技機。
【請求項２】
前記遊技用部材には、前記入賞口とともに該入賞口に入賞した遊技球を検出する前記電子機器としての遊技球検出スイッチが複数箇所の入賞口に対応するように複数個、装着され、前記回路基板には配線接続部が設けられ、前記保護カバーにおける前記配線接続部の対応部位に前記開口部を形成するとともに、当該開口部からは前記配線接続部に対して配線接続を許容しつつ前記各挿通部から前記間隙に通した各遊技球検出スイッチに接続された配線を前記保護カバー外へ引き出した請求項１に記載の遊技機。
【発明の詳細な説明】
【技術分野】
【０００１】
本発明は、保護カバーにて保護された回路基板を有する遊技用部材を具備した遊技機に関する。
【背景技術】
【０００２】
従来、遊技機の一種であるパチンコ機の遊技盤には、各種の遊技用部材が配設されている。各種遊技用部材は、それぞれベース体の表面や内部に遊技演出（発光演出や可動体演出など）を実行する演出装置を備えたものや、遊技球の入賞口を備えたものがある。そして、前記演出装置を備えた遊技用部材が遊技盤に配設された状態では、前記ベース体の裏面に備えられた前記演出装置の回路基板が、遊技盤の裏面に露出している。
【０００３】
前記回路基板には、各種電子部品が装着されており、それら電子部品及び前記回路基板の損傷を防止するため遊技盤の裏側には回路基板の裏面を覆い保護するための保護カバーが設けられている（例えば、特許文献１参照）。
【０００４】
また、遊技盤の裏側には、前記演出装置を制御する制御基板が配設されており、この制御基板と前記回路基板とは、配線（リード線）を介して電気的に接続されている。なお、各制御基板は、当該各制御基板に設けられた基板側コネクタと配線に設けられた配線側コネクタとを接続することにより配線を介して電気的に接続される。また、前記ベース体に入賞口を備えた遊技用部材には、入賞口に入賞した遊技球を検出するための遊技球検出スイッチが装着されている。そして、この遊技球検出スイッチは、前記制御基板に配線を介して電気的に接続されている。
【特許文献１】特開２００１−０４６６９８号公報（［００１４］、［００１５］、図１）
【発明の開示】
【発明が解決しようとする課題】
【０００５】
特許文献１に記載の遊技機において、回路基板に設けられた基板側コネクタは、前記保護カバーに形成された貫通孔を貫通して保護カバー外に露出している。このため、回路基板の基板側コネクタに接続された配線は、保護カバーの外側に露出された状態で制御基板の基板側コネクタに接続されている。また、回路基板は、前記ベース体の形状に合わせた形に形成されており、かつ、表面に多数の電子部品が実装されている関係上、回路基板における基板側コネクタの配設位置は任意の位置とすることが困難であった。また、回路基板は複数の機種の遊技用部材に兼用されることがある。すなわち、基板側コネクタの配設位置は、一種類しか存在せず、各機種毎に基板側コネクタの配設位置を設定することができない。その結果、回路基板における基板側コネクタの配設位置を任意の位置とすることが困難であった。このため、回路基板に配設される基板側コネクタの位置が制御基板から遠く離れてしまうことがあり、この場合には回路基板と制御基板とを接続する配線の線長が長くなってしまう。
【０００６】
さらに、遊技球検出スイッチに接続された配線は、保護カバー外に露出している。また、入賞口は、遊技盤のデザイン構成や遊技球の入賞の容易性及び困難性を考慮して、遊技盤における配設位置が決定される。このため、入賞口が制御基板から遠く離れてしまう場合もあり、この場合には遊技球検出スイッチと制御基板とを接続する配線の線長が長くなってしまう。
【０００７】
この結果として、保護カバーの外側には、線長の長い複数の配線が雑然と配設された状態となっていた。したがって、例えば、遊技機の運送、遊技店での設置作業、遊技機の点検、修理等の際に、配線に指や工具等が引っ掛かってしまい、配線が回路基板や制御基板から抜け落ちたり、損傷を受けたりする虞があった。また、配線に指や工具等を引っ掛かけない対策としては、前記演出装置を組み付ける際、組み付けの邪魔にならないように配線を短くするのも有効である。しかし、例えば、制御基板や回路基板を接続する場合、配線が短いと接続作業がやり難く、無理に引っ張ったときに配線が抜け易くなる。
【０００８】
この発明は、このような従来の技術に存在する問題点に着目してなされたものであり、その目的は、配線に指や工具を引っ掛け難くすることができ、配線が回路基板やその接続先から抜け落ちたり、損傷を受けたりすることを抑制することができる遊技機を提供することにある。
【課題を解決するための手段】
【０００９】
上記目的を達成するために、請求項１に記載の発明は、保護カバーにて保護された回路基板と、遊技盤を流下する遊技球が入賞する入賞口と、前記入賞口に入賞した遊技球を遊技盤裏面へ排出する排出経路とを複数箇所に有するとともに各排出経路に対応するように前記回路基板とは別の電子機器が複数個、設けられた遊技用部材を具備した遊技機において、前記保護カバーと前記回路基板との間に間隙を設けるとともに、該保護カバーの所定位置であって前記各排出経路に対応する位置に前記間隙に連通して保護カバー外から前記間隙に配線を通す挿通部を前記各排出経路分、形成し、各挿通部の配設位置に対する前記排出経路の逆側の位置に前記間隙に連通して前記間隙から配線を引き出す開口部を形成し、前記保護カバーには、前記開口部から最も離れた前記挿通部に通した配線を前記開口部に向かって案内する案内部材が、当該配線と当該挿通部に対応する排出経路以外の排出経路との間に位置するように設けられ、前記各排出経路をその下流側端部が前記回路基板から突出する経路長で形成し、前記別の電子機器のそれぞれに接続された配線を、当該別の電子機器が設けられた排出経路に対応する位置の前記挿通部から前記間隙に通すとともに、当該別の電子機器が設けられた排出経路において前記開口部の配設位置に対して逆側の当該排出経路の外面に沿わせて前記開口部から保護カバー外へ引き出し、前記開口部から最も離れた前記挿通部に通した配線に関しては対応する排出経路の外面に沿わせてさらに前記案内部材に沿って前記開口部から保護カバー外へ引き出したことを要旨とする。
【００１１】
請求項２に記載の発明は、請求項１に記載の遊技機において、前記遊技用部材には、前記入賞口とともに該入賞口に入賞した遊技球を検出する前記電子機器としての遊技球検出スイッチが複数箇所の入賞口に対応するように複数個、装着され、前記回路基板には配線接続部が設けられ、前記保護カバーにおける前記配線接続部の対応部位に前記開口部を形成するとともに、当該開口部からは前記配線接続部に対して配線接続を許容しつつ前記各挿通部から前記間隙に通した各遊技球検出スイッチに接続された配線を前記保護カバー外へ引き出したことを要旨とする。
【発明の効果】
【００１２】
本発明によれば、配線に指や工具を引っ掛け難くすることができ、配線が回路基板やその接続先から抜け落ちたり、損傷を受けたりすることを抑制することができる。
【発明を実施するための最良の形態】
【００１３】
（第１の実施形態）
以下、本発明をパチンコ遊技機に具体化した第１の実施形態を図１〜図７にしたがって説明する。
【００１４】
図１に示すように、パチンコ遊技機に設けられる遊技盤１０は、略矩形状に形成されている。遊技盤１０の中央上側には、センタ役物１２が配設されている。センタ役物１２には、複数種類の図柄を変動させて図柄組み合わせを表示する図柄組み合わせゲーム（遊技演出（表示演出））を行う可変表示器Ｈが設けられている。また、センタ役物１２には、発光に基づく遊技演出（発光演出）を行う装飾ランプ（図示しない）が設けられている。
【００１５】
また、遊技盤１０の左右両下側には、遊技用部材としてのサイドランプ１３，１４が配設されている。サイドランプ１３，１４は、発光に基づく遊技演出（発光演出）を行う。また、左のサイドランプ１３には、入賞口としての普通入賞口１５が３つ設けられている。また、右のサイドランプ１４は、入賞口としての普通入賞口１５が１つ設けられている。各普通入賞口１５の奥方には、入賞した遊技球を検出する遊技球検出スイッチＳ（図４参照）が設けられている。普通入賞口１５は、遊技球の入賞を契機に、所定個数（例えば１０個）の遊技球（賞球）の払出条件を付与し得る。
【００１６】
さらに、遊技盤１０の中央下側には、始動入賞口１６が配設されている。始動入賞口１６の奥方には、入賞した遊技球を検出する始動口センサ（図示せず）が設けられている。始動入賞口１６は、遊技球の入賞を契機に、図柄組み合わせゲームの始動条件と所定個数（例えば３個）の遊技球（賞球）の払出条件を付与し得る。また、遊技盤１０の中央下側であって、始動入賞口１６の下方には、大入賞口１９が配設されている。大入賞口１９には、アクチュエータ（図示せず）の作動により開閉動作を行う大入賞口扉１８が設けられている。また、大入賞口１９の奥方には、入賞した遊技球を検出する大入賞口センサ（図示しない）が設けられている。大入賞口１９は、遊技球の入賞を契機に、所定個数（例えば１５個）の遊技球（賞球）の払出条件を付与し得る。
【００１７】
図２に示すように、遊技盤１０には、前述した各種部材を装着するための遊技盤貫通口２０ａ，２０ｂ，２０ｃ，２０ｄが複数箇所（本実施形態では四箇所）に形成されている。そして、中央の遊技盤貫通口２０ａを利用してセンタ役物１２が装着され、左右両下側の遊技盤貫通口２０ｂ，２０ｃを利用して左右のサイドランプ１３，１４が装着される。さらに、中央下側の遊技盤貫通口２０ｄを利用して始動入賞口１６及び大入賞口１９が装着される。図２及び図３は、遊技盤１０の裏側を示し、遊技盤１０を表側から見た場合の左側の遊技盤貫通口２０ｂに左側のサイドランプ１３が装着され、遊技盤１０を表側から見た場合の右側の遊技盤貫通口２０ｃに右側のサイドランプ１４が装着された状態を図示している。また、図３に示すように、遊技盤１０の裏側には、中央の遊技盤貫通口２０ａを囲むようにして遊技球回収樋２１が装着されている。遊技球回収樋２１は略四角枠状に形成されている。遊技球回収樋２１は、遊技球を通過案内し得るように通路を備えており、各普通入賞口１５に入賞した遊技球を回収するようになっている。
【００１８】
次に、サイドランプ１３について詳細に説明する。なお、以下の説明においてサイドランプ１３の「左」「右」「上」「下」「表（前）」「裏（後）」は、図４に示す矢印Ｙ１の方向を上下方向とし、矢印Ｙ２の方向を左右方向とし、矢印Ｙ３の方向を表裏（前後）方向とする。
【００１９】
図４に示すように、サイドランプ１３は、役物ベース３１と、役物ベース３１の裏側に設けられる回路基板としてのＬＥＤ基板４１と、ＬＥＤ基板４１の裏側に設けられる保護カバー５２とから主に構成されている。
【００２０】
まず、前記役物ベース３１について説明する。役物ベース３１は、その外郭形状がサイドランプ１３の外郭形状を形成するように合成樹脂材料により細長板状に形成されている。役物ベース３１は、遊技盤１０の表側から見た場合の左側の遊技盤貫通口２０ｂよりも大きく形成され、サイドランプ１３を対応する遊技盤貫通口２０ｂに装着したとき、役物ベース３１が遊技盤貫通口２０ｂを閉塞する大きさに形成されている。役物ベース３１の裏面３１ａには、前記ＬＥＤ基板４１及び保護カバー５２を役物ベース３１にビス止めするためのビス止め用ボス３３が上下二箇所に立設されている。また、役物ベース３１の裏面３１ａであって、前記ビス止め用ボス３３の近傍には、前記ＬＥＤ基板４１及び保護カバー５２を役物ベース３１に位置決めし、仮固定するための仮固定突起３４が上下二箇所と、中央部一箇所に立設されている。
【００２１】
役物ベース３１の表面３１ｂには、上方に開口する普通入賞口１５を構成する入賞口部材１５ａが配設されるとともに、ＬＥＤ基板４１の表面４１ｂに実装される発光体（ＬＥＤ４２）の前面側を覆うレンズカバー６１が配設される。そして、役物ベース３１において、各普通入賞口１５の対応部位には、入賞した遊技球を役物ベース３１の裏側へ導出するための導出口３５が形成されている。加えて、役物ベース３１の裏面３１ａには、各導出口３５の下側を囲みながら裏方向へ突出する排出経路３６が各別に設けられている。本実施形態の排出経路３６では、導出口３５に連接する端部側が排出経路３６の上流側となり、その反対の端部側が排出経路３６の下流側となる。そして、普通入賞口１５に入賞した遊技球は、導出口３５を通過して排出経路３６の上流側から下流側に向かって転動し、遊技盤１０の裏面側に排出される。
【００２２】
本実施形態において役物ベース３１の裏面３１ａ側には、図４に示すように、ＬＥＤ基板４１が装着され、当該ＬＥＤ基板４１の裏面４１ａ側を覆うようにして保護カバー５２が役物ベース３１に装着されるようになっている。そして、本実施形態の排出経路３６は、図６に示すように、役物ベース３１にＬＥＤ基板４１と保護カバー５２が装着された状態において、排出経路３６の下流側端部３６ａが保護カバー５２から突出する経路長（通路の長さ）で形成されている。換言すれば、排出経路３６は、その下流側端部３６ａが、役物ベース３１と保護カバー５２との間に装着されるＬＥＤ基板４１から突出する経路長で形成されている。排出経路３６は、遊技盤１０の後方に向かって突出される。
【００２３】
また、役物ベース３１の裏面３１ａであって、各排出経路３６の上側には、前記ＬＥＤ基板４１とは別の電子機器である遊技球検出スイッチＳを取り付けるスイッチ取付部３７が設けられている。遊技球検出スイッチＳは、各普通入賞口１５に入賞した遊技球を通過可能とする通過孔Ｓａを備え、該通過孔Ｓａの通過時に遊技球を検出するようになっている。以下の説明では、図４において、３つの遊技球検出スイッチＳのうちで、右側の普通入賞口１５に入賞した遊技球を検出する遊技球検出スイッチＳを右側の遊技球検出スイッチＳと示し、中央の普通入賞口１５に入賞した遊技球を検出する遊技球検出スイッチＳを中側の遊技球検出スイッチＳと示す。また、左側の普通入賞口１５に入賞した遊技球を検出する遊技球検出スイッチＳを左側の遊技球検出スイッチＳと示す。
【００２４】
そして、遊技球検出スイッチＳには、オス型のスイッチ側コネクタＳｂが設けられている。スイッチ側コネクタＳｂには、遊技球検出スイッチ用の配線としてのリード線３８ａ（図７参照）の一端に設けられるメス型の配線側コネクタ３８ｂが接続されるようになっている。スイッチ側コネクタＳｂと配線側コネクタ３８ｂとが接続されることによって、リード線３８ａと遊技球検出スイッチＳとが電気的に接続される。
【００２５】
次に、前記ＬＥＤ基板４１について説明する。ＬＥＤ基板４１は、合成樹脂材料により細長板状に形成されている。また、ＬＥＤ基板４１は、その外郭形状が役物ベース３１の外郭形状よりも小さく形成されている。ＬＥＤ基板４１は、その表面４１ｂにＬＥＤ４２等の電子部品が実装され、各電子部品が表面４１ｂに半田付けされている。ＬＥＤ基板４１の上下両側には、ビスＢを挿通可能とするビス孔４６と、仮固定突起３４を挿通可能とする挿通孔４７とが各一箇所ずつ形成されている。さらに、ＬＥＤ基板４１の裏面４１ａ下側には、配線接続部としての基板側コネクタ４３が設けられている。基板側コネクタ４３は、オス型のコネクタである。そして、基板側コネクタ４３には、ＬＥＤ基板用の配線としてのリード線４５ａ（図７参照）の一端に設けられるメス型の配線側コネクタ４５ｂが接続されるようになっている。基板側コネクタ４３と配線側コネクタ４５ｂが接続されることによって、リード線４５ａとＬＥＤ基板４１とが電気的に接続される。
【００２６】
続いて、前記保護カバー５２について説明する。保護カバー５２は、透明の合成樹脂材料により箱状に形成され、その外郭形状がＬＥＤ基板４１の外郭形状に合わせた形状に形成されている。保護カバー５２は、ほぼ全体が細長箱状に形成されている。また、保護カバー５２には、該保護カバー５２の上下両側に取付部５３が形成され、該保護カバー５２の上下両側及び中央部に仮固定突起３４が挿通可能な挿通溝５８が形成されている。また、取付部５３には、ビスＢを挿通可能なビス孔５３ａが形成されている。保護カバー５２は、該保護カバー５２の底をなす底壁５２ａとその底壁５２ａの周縁に立設された上下左右の側壁５２ｂから一面に開口して形成されている。そして、保護カバー５２の内側には側壁５２ｂの高さを深さとする空間が形成されている。この空間により、保護カバー５２を役物ベース３１に組み付けた際には、ＬＥＤ基板４１と保護カバー５２との間に間隙Ｋが形成される（図５参照）。図５は、図４における５−５断面図を示している。
【００２７】
また、図４に示すように、保護カバー５２における各排出経路３６の対応部位は、当該排出経路３６の外面３６ｂの一部に沿うように形成されている。そして、保護カバー５２において各排出経路３６の対応部位には、保護カバー５２の内部空間（間隙Ｋ）に連通する第１開口部（開口部）５４と、第２開口部（開口部）５５と、第３開口部（開口部）５６とが形成されている。第１〜第３開口部５４〜５６は、保護カバー５２の側壁５２ｂを切り欠くことによって形成されている。第１，第２開口部５４，５５は、対応する右側と中央の排出経路３６における右側の外面３６ｂに沿って形成されている。そして、第１，第２開口部５４，５５は、保護カバー５２が役物ベース３１に装着されると、図７に示すように、対応する排出経路３６の右側上端付近に位置する開口部位５４ａ，５５ａのみが開放され、第１，第２開口部５４，５５における他の部位は対応する排出経路３６の外面３６ｂによって閉鎖されるようになっている。
【００２８】
また、第３開口部５６は、対応する左側の排出経路における左側の外面３６ｂに沿って形成されている。そして、第３開口部５６は、保護カバー５２が役物ベース３１に装着されると、図７に示すように、対応する排出経路の左側方に位置する開口部位５６ａのみが開放され、第３開口部５６における他の部位は対応する排出経路３６の外面３６ｂによって閉鎖されるようになっている。
【００２９】
また、保護カバー５２の底壁５２ａには、ＬＥＤ基板４１の基板側コネクタ４３に対応する位置に四角形状の貫通孔（開口部）５７が形成されている。貫通孔５７は、保護カバー５２の内部空間（間隙Ｋ）と連通している。したがって、保護カバー５２が役物ベース３１に装着されると、保護カバー５２の内部空間（間隙Ｋ）は、第１〜第３開口部５４〜５６と貫通孔５７によって開放されることとなる。
【００３０】
次に、前述のように構成されたサイドランプ１３の組み付け形態について図７に基づき説明する。
役物ベース３１の表面３１ｂ側には、普通入賞口１５の入賞口部材１５ａと、レンズカバー６１とが組み付けられる。一方で、役物ベース３１の裏面３１ａ側には、各スイッチ取付部３７に遊技球検出スイッチＳが組み付けられる。遊技球検出スイッチＳは、通過孔Ｓａが普通入賞口１５を構成する入賞口部材１５ａ内に臨むように組み付けられる。また、役物ベース３１の裏面３１ａ側には、仮固定突起３４を利用して、ＬＥＤ基板４１が組み付けられると共に、該ＬＥＤ基板４１の裏面４１ａ側を覆うように保護カバー５２が組み付けられ、ビス止め用ボス３３でビスＢによってＬＥＤ基板４１と保護カバー５２が役物ベース３１に固定される。
【００３１】
この組み付け時において、右側の遊技球検出スイッチＳに接続されるリード線３８ａは、第１開口部５４の開口部位５４ａを通って保護カバー５２の内部空間に収容され、該第１開口部５４と対応する排出経路３６の外面３６ｂに沿わせて貫通孔５７から保護カバー５２外に引き出される。本実施形態において遊技球検出スイッチＳに接続されるリード線３８ａは、当該リード線３８ａが引き出される貫通孔５７の配設位置に対して逆側の排出経路３６の外面３６ｂに沿わせて取り回される。このため、右側の遊技球検出スイッチＳの場合には、第１開口部５４と対応する排出経路３６の左側に貫通孔５７が形成されているので、リード線３８ａは前記排出経路３６における右側の外面３６ｂに沿わせて取り回される。また、右側の遊技球検出スイッチＳに接続されるリード線３８ａは、貫通孔５７に至る迄の間に、中央の排出経路３６が配設されることにより、当該排出経路３６の外面３６ｂにも沿うように取り回される。
【００３２】
また、中央の遊技球検出スイッチＳに接続されるリード線３８ａは、第２開口部５５の開口部位５５ａを通って保護カバー５２の内部空間に収容され、該第２開口部５５と対応する排出経路３６の外面３６ｂに沿わせて貫通孔５７から保護カバー５２外に引き出される。この場合も、前述同様に、リード線３８ａは、前記排出経路３６における右側の外面３６ｂに沿わせて取り回される。
【００３３】
また、左側の遊技球検出スイッチＳに接続されるリード線３８ａは、第３開口部５６の開口部位５６ａを通って保護カバー５２の内部空間に収容され、該第３開口部５６と対応する排出経路３６の外面３６ｂに沿わせて貫通孔５７から保護カバー５２外に引き出される。そして、左側の遊技球検出スイッチＳの場合には、第３開口部５６と対応する排出経路３６の右側に貫通孔５７が形成されているので、リード線３８ａは前記排出経路３６における左側の外面３６ｂに沿わせて取り回される。
【００３４】
また、ＬＥＤ基板４１と保護カバー５２の組み付け時においては、ＬＥＤ基板４１の基板側コネクタ４３と保護カバー５２の貫通孔５７が対応配置される。このため、ＬＥＤ基板用のリード線４５ａの配線側コネクタ４５ｂは、貫通孔５７を介してＬＥＤ基板４１の基板側コネクタ４３に接続される。そして、貫通孔５７から保護カバー５２外に引き出した各リード線３８ａ，４５ａは、保護カバー５２外で結束手段（例えば、結線バンド）５９によって一つに纏める。
【００３５】
このように組み付けられたサイドランプ１３では、各遊技球検出スイッチＳに接続されたリード線３８ａが保護カバー５２内に収容され、前記リード線３８ａ全体のうちの一部が保護カバー５２によって被覆保護される。すなわち、各遊技球検出スイッチＳに接続される各リード線３８ａ全体のうち、遊技球検出スイッチＳから保護カバー５２内へ引き込まれるまでの部位、及び貫通孔５７から引き出された部位のみが保護カバー５２外へ露出し、その他の部位は保護カバー５２内に収容される。そして、本実施形態のサイドランプ１３では、保護カバー５２内にリード線３８ａを引き込む開口部位５４ａ〜５６ａが、各遊技球検出スイッチＳと各リード線３８ａの接続部位の近くに配置されている。このため、各遊技球検出スイッチＳと保護カバー５２との間におけるリード線３８ａの露出部位がさらに少なくなる。
【００３６】
また、各リード線３８ａは、排出経路３６の外面３６ｂに沿わすことで、当該外面３６ｂで案内されて貫通孔５７から引き出される。このため、リード線３８ａは、保護カバー５２内において撓むことなく収容されることとなる。そして、リード線３８ａは、外部からの引っ張り力が作用した場合であっても、貫通孔５７の周縁と排出経路３６の外面３６ｂとの少なくも２ヶ所で接することで、引っ張り力が分散されることとなる。すなわち、本実施形態の組み付け構造を採用していない場合、リード線３８ａに掛かる引っ張り力は、遊技球検出スイッチＳとリード線３８ａとの接続部に直接作用することになる。これに対し、本実施形態では、接触部位（貫通孔５７の周縁、排出経路３６の外面３６ｂ）が介在されることにより、遊技球検出スイッチＳとリード線３８ａとの接続部に直接作用されない。その結果、遊技球検出スイッチＳからリード線３８ａが抜け難くなる。
【００３７】
また、保護カバー５２を役物ベース３１に組み付けた際には、開口部位５４ａ〜５６ａを除く第１〜第３開口部５４〜５６の部位が各排出経路３６の各外面３６ｂによって閉鎖される。このため、排出経路３６の外面３６ｂにリード線３８ａを沿わせて取り回す場合であっても、保護カバー５２内からリード線３８ａが外部にはみ出ない。
【００３８】
また、図３に示すように、貫通孔５７は、遊技盤１０の裏側に遊技球回収樋２１を装着した際に該遊技球回収樋２１で覆われない（重ならない）位置に設けられている。このため、貫通孔５７から引き出された各遊技球検出スイッチＳに接続されるリード線３８ａとＬＥＤ基板４１に接続されるリード線４５ａは、遊技盤１０と遊技球回収樋２１との間に挟まれない。そして、サイドランプ１３に接続される各遊技球検出スイッチＳに接続されるリード線３８ａ、ＬＥＤ基板４１に接続されるリード線４５ａは、サイドランプ１３を遊技盤１０に装着した際、各種の制御基板（主制御基板やランプ制御基板など）にそれぞれ接続される。
【００３９】
以上の説明は、サイドランプ１３の組み付け構造（リード線３８ａ，４５ａの取り回し構造）について行ったが、この組み付け構造はサイドランプ１４の場合も同様に適用される。
【００４０】
上記実施形態によれば、以下のような効果を得ることができる。
（１）保護カバー５２とＬＥＤ基板４１の間に間隙Ｋを設け、さらに、間隙Ｋに連通する第１〜第３開口部５４〜５６を保護カバー５２に形成した。また、遊技球の排出経路３６を下流側端部３６ａがＬＥＤ基板４１から突出する経路長で形成し、排出経路３６の外面３６ｂがＬＥＤ基板４１から突出するようにした。そして、間隙Ｋにリード線３８ａを通し、排出経路３６の外面３６ｂに沿ってリード線３８ａを取り回し、貫通孔５７から保護カバー５２外へ引き出した。このため、リード線３８ａ全体のうち、保護カバー５２内に通される迄の部位と貫通孔５７から引き出された部位だけが遊技盤１０の裏側に露出することとなり、リード線３８ａ全体が遊技盤１０の裏側に露出することがなくなる。すなわち、リード線３８ａ全体が遊技盤１０の裏側に露出している場合と比較して、露出するリード線３８ａの線長を短くすることができ、遊技盤１０の裏側においてリード線３８ａを整然と引き出すことができる。また、リード線３８ａを排出経路３６の外面３６ｂに沿って取り回すことにより、リード線３８ａの撓みを防止し、線長を短くすることができる。その結果、遊技機の運送、遊技店での設置作業、遊技機の点検、修理等の際に、リード線３８ａに指や工具等を引っ掛け難くすることができ、リード線３８ａがＬＥＤ基板４１やその基板側コネクタ４３から抜け落ちたり、損傷を受けたりすることを抑制することができる。
【００４１】
（２）また、リード線３８ａを排出経路３６の外面３６ｂと貫通孔５７との少なくとも２点で接触させることができる。このため、リード線３８ａが引っ張られた場合でも、そのリード線３８ａに掛かる力が排出経路３６の外面３６ｂ及び貫通孔５７（リード線３８ａと接触する部位）とで分散されるので、リード線３８ａを抜け難くすることができる。
【００４２】
（３）リード線３８ａの引き出し位置となる貫通孔５７は、遊技球回収樋２１を回避した位置に設けられている。このため、パチンコ遊技機製造の際に、貫通孔５７から保護カバー５２外へ引き出されたリード線３８ａが、遊技盤１０の裏側と遊技球回収樋２１の間に挟まれて損傷を受けるといった不具合の発生を阻止することができる。
【００４３】
（４）保護カバー５２に、ＬＥＤ基板４１に設けられる基板側コネクタ４３との配線接続を許容する貫通孔５７を設け、この貫通孔５７を、リード線３８ａを保護カバー５２外へ引き出すための貫通孔５７と兼用した。そして、遊技球検出スイッチＳに接続されたリード線３８ａを、保護カバー５２とＬＥＤ基板４１の間の間隙Ｋに通し、さらに、貫通孔５７から保護カバー５２外へ引き出した。このため、基板側コネクタ４３に接続されたリード線４５ａと、遊技球検出スイッチＳに接続されたリード線３８ａとを同一箇所（貫通孔５７）から保護カバー５２外へ引き出し、一つに纏めることができる。したがって、各リード線３８ａ，４５ａが保護カバー５２の別々の位置から保護カバー５２外へ引き出される場合と比較して、リード線３８ａ，４５ａが遊技盤１０の裏側で乱雑に配設されることを抑制することができる。
【００４４】
（５）また、遊技球検出スイッチＳは、遊技球の入賞に対して賞球を遊技者に与える契機となるものである。このため、遊技の公平性を保つために特にリード線３８ａは、抜け落ちないようにしなければならない。したがって、遊技球検出スイッチＳに接続されるリード線３８ａを排出経路３６の外面３６ｂに沿わせて取り回したので、前記リード線３８ａが抜け難くなり、遊技者の不利とならない公正なパチンコ遊技機を提供できる。
【００４５】
（６）排出経路３６は、排出経路３６の下流側端部３６ａが保護カバー５２に達する経路長で形成されている。このため、保護カバー５２とＬＥＤ基板４１との間の間隙Ｋを閉鎖するように設けられる。したがって、保護カバー５２内に通されたリード線３８ａが該間隙Ｋからはみ出ることが防止されるとともに、確実にリード線３８ａを排出経路３６の外面３６ｂに沿って取り回すことができる。
【００４６】
（７）リード線３８ａ，４５ａを単一の貫通孔５７から保護カバー５２外に引き出すようにした。このため、サイドランプ１３に接続されるリード線３８ａ，４５ａを纏めやすくすることができる。したがって、サイドランプ１３を遊技盤１０に組み付ける時や、修理に伴い取り外す時の作業性を向上させることができる。
（第２の実施形態）
次に、本発明の第２の実施形態を図８に基づき説明する。なお、以下に説明する実施形態では、既に説明した実施形態と同一構成は、同一の符号を付すなどして、その重複する説明を簡略又は省略する。
【００４７】
本実施形態において保護カバー５２内には、図８に示すように、案内部材としての案内ボス７０が底壁５２ａに突設されている。案内ボス７０は、複数箇所（本実施形態では三箇所）に形成され、隣り合う案内ボス７０間には所定の間隔が空けられている。案内ボス７０は、右側の排出経路３６と中央の排出経路３６との間に形成され、右側の遊技球検出スイッチＳに接続されるリード線３８ａを貫通孔５７に案内するために設けられている。この案内ボス７０により、前記リード線３８ａの取り回し経路が形成されている。また、案内ボス７０は、前記リード線３８ａが、中央の遊技球検出スイッチＳに接続されるリード線３８ａと接触することを回避できるように設けられている。そして、右側の遊技球検出スイッチＳに接続されるリード線３８ａは、案内ボス７０と保護カバー５２の下側の側壁５２ｂとの間に取り回され、貫通孔５７から保護カバー５２外に引き出される。
【００４８】
したがって、本実施形態によれば、第１の実施形態の効果（１）〜（７）と同様の効果に加えて以下に示す効果を得ることができる。
（８）保護カバー５２には、間隙Ｋに通したリード線３８ａを貫通孔５７に向かって案内する案内ボス７０が設けられている。このため、保護カバー５２とＬＥＤ基板４１との間の間隙Ｋに通されたリード線３８ａは、前記案内ボス７０に沿って取り回されるため、他のリード線３８ａと絡まるなどの不具合を防止することができるとともに、各種の配線が絡まることに起因する不具合も防止することができる。また、リード線３８ａを案内ボス７０に接触させて接触する部位を増やすことで、該リード線３８ａが引っ張られた場合でも、そのリード線３８ａに掛かる力が接触する各部位で分散されるので、リード線３８ａをさらに抜け難くすることができる。
【００４９】
尚、前記各実施形態は、以下のように変更しても良い。
・上記各実施形態において、各遊技球検出スイッチＳに接続されるリード線３８ａは、貫通孔５７とは異なる開口部から保護カバー５２外に引き出しても良い。この場合、新たに前記リード線３８ａを引き出すための開口部を設けても良い。
【００５０】
・上記各実施形態において、各普通入賞口１５と連通する排出経路３６の経路長は、少なくともＬＥＤ基板４１より下流側端部３６ａが突出していて、外面３６ｂに各リード線３８ａを沿わせることができれば良い。
【００５１】
・上記各実施形態において、サイドランプ１３，１４に設けられる普通入賞口１５の個数は、１以上であれば任意に変更しても良い。
・上記第１の実施形態において、右側の遊技球検出スイッチＳに接続されるリード線３８ａは、中央に位置する普通入賞口１５から連通する排出経路３６の外面３６ｂに当接しなくても良い。前記リード線３８ａは、少なくとも右側に位置する普通入賞口１５から連通する排出経路３６の外面３６ｂに当接していれば良い。
【００５２】
・上記第２の実施形態において、案内ボス７０をＬＥＤ基板４１に一体形成しても良い。
・上記第２の実施形態において、案内ボス７０の数は１以上であれば任意に変更しても良い。
【００５３】
・上記第２の実施形態において、案内部材として案内ボス７０の代わりに、案内ボス７０が位置している部分に沿って板状の案内壁を保護カバー５２の内部空間に設けても良い。この場合、案内壁は、保護カバー５２に一体成形されても良いし、ＬＥＤ基板４１に一体成形されても良い。
【００５４】
・上記各実施形態で説明した組み付け構造は、保護カバー５２で保護される基板と入賞口を有する遊技用部材であれば、サイドランプ１３に限らず適用することができる。例えば、始動入賞口１６や大入賞口１９を有する遊技用部材に具体化しても良い。また、前記組み付け構造は、普通図柄変動ゲームの始動口（又はゲート）を有し、装飾ランプを備えるセンタ役物１２に具体化しても良い。その場合、始動入賞口１６には、開動作することで遊技球の入賞を容易にする開閉羽根を設ける。そして、前記始動口は、遊技球の入賞を契機に、前記開閉羽根を開動作するか否かを抽選する普通図柄変動ゲームの始動条件を付与し得る。
【００５５】
・上記各実施形態において、間隙Ｋに通す配線は、ソレノイドやモータなどの電子機器に接続される配線などであっても良く、前記配線は、上記各実施形態で説明した組み付け構造に基づいて取り回される。
【００５６】
次に、前記各実施形態及び別例から把握できる技術的思想を以下に追記する。
（イ）前記排出経路は、前記下流側端部が前記保護カバーに達する経路長で形成されていることを特徴とする遊技機。
【００５７】
（ロ）前記保護カバーには、前記間隙に通した前記配線を前記開口部に向かって案内する案内部材が設けられていることを特徴とする遊技機。
【００５８】
（ハ）保護カバーにて保護された回路基板と、遊技盤を流下する遊技球が入賞する入賞口と、前記入賞口に入賞した遊技球を遊技盤裏面へ排出する排出経路とを有する遊技用部材において、前記保護カバーと前記回路基板との間に間隙を設けるとともに、該保護カバーの所定位置に前記間隙に連通する開口部を形成し、前記排出経路をその下流側端部が前記回路基板から突出する経路長で形成し、前記回路基板に接続された配線及び前記遊技用部材が備える前記回路基板とは別の電子機器に接続された配線のうちの少なくとも一配線を、前記間隙に通すとともに、前記排出経路の外面に沿わせて前記開口部から保護カバー外へ引き出したことを特徴とする遊技用部材。
【図面の簡単な説明】
【００５９】
【図１】遊技盤を示す正面図。
【図２】遊技盤の裏面図。
【図３】遊技球回収樋が装着された遊技盤の裏面図。
【図４】第１の実施形態のサイドランプを示す分解斜視図。
【図５】図４の５−５線断面図。
【図６】（ａ），（ｂ）は、第１の実施形態のサイドランプを上方から平面視した場合の平面図。
【図７】第１の実施形態における組み付け後のサイドランプを示す斜視図。
【図８】第２の実施形態における組み付け後のサイドランプを示す斜視図。
【符号の説明】
【００６０】
Ｋ…間隙、Ｓ…遊技球検出用スイッチ、１０…遊技盤、１２…センタ役物、１３…サイドランプ、１４…サイドランプ、１５…普通入賞口、２１…遊技球回収樋、３６…排出経路、３６ａ…下流側端部、３６ｂ…外面、３８ａ…リード線、４１…ＬＥＤ基板、４３…基板側コネクタ（配線接続部）、４５ａ…リード線、５２…保護カバー、５２ｂ…側壁、５７…貫通孔、７０…案内ボス（案内部材）。
【図１】
0004782482.tif 000002
【図２】
0004782482.tif 000003
【図３】
0004782482.tif 000004
【図４】
0004782482.tif 000005
【図５】
0004782482.tif 000006
【図６】
0004782482.tif 000007
【図７】
0004782482.tif 000008
【図８】
0004782482.tif 000009